(57)【要約】【課題】クランクシャフトと軸受との間に介在する摺動部に供給されるオイルの流量を、局所的に、温度に応じて調整可能な油量調整装置を提供することを課題とする。【解決手段】油量調整装置１は、クランクシャフト用幹通路８１０に配置される。油量調整装置１は、ハウジング２と、バルブ４と、隔壁３２と、導入室２２と、圧力室２３と、バルブ４に配置されるオリフィスＡ付きの内部通路４００と、導入室２２と外部との間に配置される第一流出通路２１０と、圧力室２３と外部との間に配置される第二流出通路Ｂと、を備える。オリフィスＡの最大開口幅Ａ１は、第二流出通路Ｂの最小開口幅Ｂ１よりも、小さい。冷間時においては、小流量経路Ｌ２を経由して、オイルＯが複数の摺動部Ｓ１、Ｓ２に供給される。温間時においては、少なくとも大流量経路Ｌ１を経由して、オイルＯが複数の摺動部Ｓ１、Ｓ２に供給される。【選択図】図４
2015004303.tif 000002
【特許請求の範囲】
【請求項１】
オイルフィルタの下流側に配置されるクランクシャフト用幹通路と、
該クランクシャフト用幹通路に分岐接続され、クランクシャフトと、該クランクシャフトに環装される複数の軸受と、の間に介在する複数の摺動部にオイルを供給する複数のクランクシャフト用枝通路と、
を有するオイル経路の、該クランクシャフト用幹通路に配置され、
筒状のハウジングと、
該ハウジングの内部に配置され、該ハウジングの軸方向に往復動可能なバルブと、
該バルブの裏側に配置される隔壁と、
該ハウジングの内部において、該バルブの表側に区画され、該オイルが導入される導入室と、
該ハウジングの内部において、該バルブと該隔壁との間に区画される圧力室と、
該バルブに配置され、該導入室と該圧力室とを連通し、オリフィスを有する内部通路と、
該導入室と該ハウジングの外部との間に配置され、該導入室から該オイルが流出する第一流出通路と、
該圧力室と該ハウジングの外部との間に配置され、該圧力室から該オイルが流出する第二流出通路と、
を備え、
該オリフィスの最大開口幅は、該第二流出通路の最小開口幅よりも、小さく、
エンジン始動直後であって、該エンジンの暖機が未完了の冷間時においては、小流量経路を経由して、該オイルが複数の該摺動部に供給される閉弁状態に、
該エンジンの暖機完了後の温間時においては、該小流量経路、および該第一流出通路を有し該小流量経路よりも経路断面積が大きい大流量経路のうち、少なくとも該大流量経路を経由して、該オイルが複数の該摺動部に供給される開弁状態に、
切り替わることにより、
該冷間時と該温間時とで、複数の該摺動部に供給される該オイルの流量を、一括して調整する油量調整装置。
【請求項２】
前記内部通路は、各々、前記圧力室に開口する、複数の前記オリフィスを有し、
複数の該オリフィスの配置数は、前記第二流出通路の配置数よりも、多く、
複数の該オリフィスの総開口面積は、該第二流出通路の総開口面積よりも、大きく、
該第二流出通路の通路方向長さは、該第二流出通路の前記最小開口幅よりも、大きい請求項１に記載の油量調整装置。
【請求項３】
さらに、前記バルブに配置され、前記第一流出通路よりも、通路断面積が小さい切替通路を備え、
前記冷間時においては、該バルブが該第一流出通路を閉じ、該切替通路が前記導入室と該第一流出通路との間に差し込まれることにより、該導入室、該切替通路、該第一流出通路を有する前記小流量経路が形成され、
前記温間時においては、該バルブが該第一流出通路を開き、該切替通路が該導入室と該第一流出通路との間から抜き出され、該導入室、該第一流出通路を有する前記大流量経路が形成される請求項１または請求項２に記載の油量調整装置。
【請求項４】
前記第一流出通路よりも、前記第二流出通路の方が、通路断面積が小さく設定されており、
前記冷間時においては、前記バルブが該第一流出通路を閉じ、前記導入室、前記内部通路、前記圧力室、該第二流出通路を有する前記小流量経路が形成され、
前記温間時においては、該バルブが該第一流出通路を開き、該導入室、該第一流出通路を有する前記大流量経路が形成される請求項１または請求項２に記載の油量調整装置。
【発明の詳細な説明】
【技術分野】
【０００１】
本発明は、クランクシャフトと軸受との間に介在する摺動部に供給されるオイルの流量を調整する油量調整装置に関する。
【背景技術】
【０００２】
特許文献１には、調圧装置を備えるエンジンの給油装置が開示されている。調圧装置は、メインオイルギャラリに配置されている。冷却水の水温が所定水温以下の場合、調圧装置は、オイルの圧力を低圧設定値に制御する。一方、冷却水の水温が所定水温よりも高い場合、調圧装置は、オイルの圧力を高圧設定値に制御する。同文献記載の給油装置によると、冷却水の水温に応じて、オイルジェットやクランクシャフトと軸受との間に介在する摺動部に供給されるオイルの流量を、切り替えることができる。
【先行技術文献】
【特許文献】
【０００３】
【特許文献１】特開２０１２−２２１６号公報
【発明の概要】
【発明が解決しようとする課題】
【０００４】
しかしながら、同文献記載の給油装置によると、オイルジェットに供給されるオイルの流量に対して、クランクシャフトと軸受との間に介在する摺動部に供給されるオイルの流量を、独立して制御することができない。
【０００５】
すなわち、クランクシャフトと軸受との間に介在する摺動部の場合、いち早く摩擦抵抗を小さくすることが望まれる。ここで、摩擦抵抗を小さくするためには、摺動部に供給されるオイル、または摺動部に介在するオイルの粘度を下げればよい。オイルの粘度を下げるためには、オイルの温度を上昇させればよい。
【０００６】
このため、クランクシャフトと軸受との間に介在する摺動部の場合、いち早く摩擦抵抗を小さくするために、エンジン始動直後に、意図的に当該摺動部の冷却を制限して、オイルの温度を上昇させるという方法が考えられる。ここで、冷却を制限するためには、当該摺動部に供給されるオイルの流量を小さくすればよい。
【０００７】
ところが、特許文献１の給油装置の場合、オイルの流量は、リリーフバルブにより、一括調整されている。このため、クランクシャフトと軸受との間に介在する摺動部だけ、局所的に、オイルの流量を小さくすることはできない。
【０００８】
そこで、本発明は、クランクシャフトと軸受との間に介在する摺動部に供給されるオイルの流量を、局所的に、温度に応じて調整可能な油量調整装置を提供することを目的とする。
【課題を解決するための手段】
【０００９】
（１）上記課題を解決するため、本発明の油量調整装置は、オイルフィルタの下流側に配置されるクランクシャフト用幹通路と、該クランクシャフト用幹通路に分岐接続され、クランクシャフトと、該クランクシャフトに環装される複数の軸受と、の間に介在する複数の摺動部にオイルを供給する複数のクランクシャフト用枝通路と、を有するオイル経路の、該クランクシャフト用幹通路に配置され、筒状のハウジングと、該ハウジングの内部に配置され、該ハウジングの軸方向に往復動可能なバルブと、該バルブの裏側に配置される隔壁と、該ハウジングの内部において、該バルブの表側に区画され、該オイルが導入される導入室と、該ハウジングの内部において、該バルブと該隔壁との間に区画される圧力室と、該バルブに配置され、該導入室と該圧力室とを連通し、オリフィスを有する内部通路と、該導入室と該ハウジングの外部との間に配置され、該導入室から該オイルが流出する第一流出通路と、該圧力室と該ハウジングの外部との間に配置され、該圧力室から該オイルが流出する第二流出通路と、を備え、該オリフィスの最大開口幅は、該第二流出通路の最小開口幅よりも、小さく、エンジン始動直後であって、該エンジンの暖機が未完了の冷間時においては、小流量経路を経由して、該オイルが複数の該摺動部に供給される閉弁状態に、該エンジンの暖機完了後の温間時においては、該小流量経路、および該第一流出通路を有し該小流量経路よりも経路断面積が大きい大流量経路のうち、少なくとも該大流量経路を経由して、該オイルが複数の該摺動部に供給される開弁状態に、切り替わることにより、該冷間時と該温間時とで、複数の該摺動部に供給される該オイルの流量を、一括して調整することを特徴とする。
【００１０】
ここで、「オリフィス」とは、絞り部をいう。すなわち、内部通路の通路断面積（内部通路の延在方向に対して直交する方向の断面積）が、局所的に縮小されている部分をいう。また、オリフィスの「最大開口幅」とは、オリフィスの延在方向に対して直交する方向の幅の最大値をいう。また、第二流出通路の「最小開口幅」とは、第二流出通路の延在方向に対して直交する方向の幅の最小値をいう。また、小流量経路、大流量経路の「経路断面積」とは、経路（小流量経路、大流量経路）の延在方向に対して直交する方向の断面積の最小値をいう。
【００１１】
本発明の油量調整装置は、クランクシャフト用幹通路に配置されている。クランクシャフト用幹通路は、クランクシャフトと、当該クランクシャフトに環装される複数の軸受と、の間に介在する全ての摺動部に、オイルを供給している。
【００１２】
油量調整装置は、冷間時においては、小流量経路を経由して、オイルを、クランクシャフトと複数の軸受との間に介在する全ての摺動部に、供給することができる。すなわち、冷間時においては、クランクシャフトと複数の軸受との間に介在する全ての摺動部に供給されるオイルの流量を小さくすることができる。このため、クランクシャフトと複数の軸受との間に介在する全ての摺動部の冷却を抑制することができる。したがって、当該摩擦熱を利用して、これらの摺動部に供給されるオイルの温度を上げることができる。すなわち、当該オイルの粘度を下げることができる。よって、これらの摺動部の摩擦抵抗を小さくすることができる。
【００１３】
これに対して、油量調整装置は、冷間時よりもオイルの温度が高い温間時においては、小流量経路および大流量経路のうち、少なくとも大流量経路を経由して、オイルを、クランクシャフトと複数の軸受との間に介在する全ての摺動部に、供給することができる。すなわち、温間時においては、クランクシャフトと複数の軸受との間に介在する全ての摺動部に供給されるオイルの流量を大きくすることができる。このため、クランクシャフトと複数の軸受との間に介在する全ての摺動部に、充分な量のオイルを供給することができる。したがって、これらの摺動部を冷却することができる。また、これらの摺動部の摩擦抵抗を小さくすることができる。
【００１４】
このように、本発明の油量調整装置によると、クランクシャフトと複数の軸受との間に介在する全ての摺動部に供給されるオイルの流量を、局所的に、かつ総括的に、温度に応じて調整することができる。
【００１５】
また、例えば、冷間時において、油量調整装置がない場合と比較して、クランクシャフトと複数の軸受との間に介在する全ての摺動部に供給されるオイルの流量を、小さくすることができる。
【００１６】
また、例えば、冷間時において、オイル経路に接続される他の摺動部と比較して、クランクシャフトと複数の軸受との間に介在する全ての摺動部に供給されるオイルの流量を、小さくすることができる。
【００１７】
また、本発明の油量調整装置によると、圧力室の上流側に内部通路が、圧力室の下流側に第二流出通路が、各々配置されている。圧力室の内圧は、オイルの温度に応じて変化する。このため、当該内圧の変化を利用して、開弁位置（開弁状態におけるバルブの位置）と閉弁位置（閉弁状態におけるバルブの位置）との間で、バルブを往復動させることができる。
【００１８】
また、本発明の油量調整装置によると、オリフィスの最大開口幅は、第二流出通路の最小開口幅よりも、小さい。このため、オイル中の異物（例えば、スラッジ、摩耗粉、ゴミ、エンジン製造時の加工粉など）のうち、オリフィスを通過可能な異物は、第二流出通路を通過することができる。また、第二流出通路を通過不可能な異物は、オリフィスを通過することができない。したがって、異物が第二流出通路に詰まり、圧力室の内圧が高くなるのを抑制することができる。
【００１９】
また、オリフィスつまり内部通路は、バルブに配置されている。オリフィスに異物が詰まると、オイルがオリフィスを、表側から裏側に通過しにくくなる。つまり、オリフィスの通過抵抗が大きくなる。このため、表側からバルブに加わる荷重が大きくなる。したがって、バルブは裏側に移動し、油量調整装置は開弁状態になる。このように、本発明の油量調整装置によると、オリフィスに異物が詰まった場合であっても、開弁状態を確保することができる。このため、油量調整装置に異物が詰まった場合であっても、少なくとも大流量経路を介して、オイルを複数の摺動部に供給することができる。
【００２０】
（２）好ましくは、上記（１）の構成において、前記内部通路は、各々、前記圧力室に開口する、複数の前記オリフィスを有し、複数の該オリフィスの配置数は、前記第二流出通路の配置数よりも、多く、複数の該オリフィスの総開口面積は、該第二流出通路の総開口面積よりも、大きく、該第二流出通路の通路方向長さは、該第二流出通路の前記最小開口幅よりも、大きい構成とする方がよい。
【００２１】
本構成によると、圧力室に連なるオリフィスが、複数並置されている。また、オリフィスの配置数は、第二流出通路の配置数よりも、多い。このため、任意のオリフィスに異物が詰まった場合であっても、異物が詰まっていない他のオリフィスにより、圧力室に対するオイルの供給を確保することができる。また、複数のオリフィスの総開口面積は、第二流出通路の総開口面積よりも、大きい。また、第二流出通路の通路方向長さは、第二流出通路の最小開口幅よりも、大きい。このため、オイルの油温に応じて、圧力室の内圧を簡単に調整することができる。
【００２２】
（３）好ましくは、上記（１）または（２）の構成において、さらに、前記バルブに配置され、前記第一流出通路よりも、通路断面積が小さい切替通路を備え、前記冷間時においては、該バルブが該第一流出通路を閉じ、該切替通路が前記導入室と該第一流出通路との間に差し込まれることにより、該導入室、該切替通路、該第一流出通路を有する前記小流量経路が形成され、前記温間時においては、該バルブが該第一流出通路を開き、該切替通路が該導入室と該第一流出通路との間から抜き出され、該導入室、該第一流出通路を有する前記大流量経路が形成される構成とする方がよい。
【００２３】
ここで、第一流出通路、切替通路の「通路断面積」とは、通路（第一流出通路、切替通路）の延在方向に対して直交する方向の断面積の最小値をいう。本構成によると、閉弁状態においては、導入室、切替通路、第一流出通路を有する小流量経路を経由して、オイルを、クランクシャフトと複数の軸受との間に介在する全ての摺動部に、供給することができる。すなわち、切替通路を経由させることにより、オイルの流量を小さくすることができる。
【００２４】
これに対して、開弁状態においては、導入室、第一流出通路を有する大流量経路を経由して、オイルを、クランクシャフトと複数の軸受との間に介在する全ての摺動部に、供給することができる。すなわち、オイルの流量を大きくすることができる。
【００２５】
また、第二流出通路は、本来、圧力室の内圧を制御するために設けられている。言い換えると、第二流出通路は、バルブの動作を制御するために設けられている。このため、第二流出通路の通路断面積の許容範囲は、内圧調整の観点から、ある程度制限されてしまう。したがって、仮に、第二流出通路を利用して小流量経路を設定すると、小流量経路を流れるオイルの流量設定に対する自由度が低くなってしまう。
【００２６】
この点、本構成によると、第二流出通路を利用しないで小流量経路を設定している。言い換えると、切替通路を利用して小流量経路を設定している。このため、小流量経路を流れるオイルの流量設定に対する自由度が高い。
【００２７】
（４）好ましくは、上記（１）または（２）の構成において、前記第一流出通路よりも、前記第二流出通路の方が、通路断面積が小さく設定されており、前記冷間時においては、前記バルブが該第一流出通路を閉じ、前記導入室、前記内部通路、前記圧力室、該第二流出通路を有する前記小流量経路が形成され、前記温間時においては、該バルブが該第一流出通路を開き、該導入室、該第一流出通路を有する前記大流量経路が形成される構成とする方がよい。
【００２８】
ここで、第一流出通路、第二流出通路の「通路断面積」とは、通路（第一流出通路、第二流出通路）の延在方向に対して直交する方向の断面積の最小値をいう。本構成によると、閉弁状態においては、導入室、内部通路、圧力室、第二流出通路を有する小流量経路を経由して、オイルを、クランクシャフトと複数の軸受との間に介在する全ての摺動部に、供給することができる。すなわち、第二流出通路を経由させることにより、オイルの流量を小さくすることができる。
【００２９】
これに対して、開弁状態においては、導入室、第一流出通路を有する大流量経路を経由して、オイルを、クランクシャフトと複数の軸受との間に介在する全ての摺動部に、供給することができる。すなわち、オイルの流量を大きくすることができる。
【００３０】
また、第二流出通路は、本来、圧力室の内圧を制御するために設けられている。この点、本構成によると、第二流出通路を利用して小流量経路を設定している。このため、第二流出通路を利用しないで小流量経路を設定する場合と比較して、油量調整装置の構造が簡単になる。
【発明の効果】
【００３１】
本発明によると、クランクシャフトと軸受との間に介在する摺動部に供給されるオイルの流量を、局所的に、温度に応じて調整可能な油量調整装置を提供することができる。
【図面の簡単な説明】
【００３２】
【図１】第一実施形態の油量調整装置の配置図である。
【図２】同油量調整装置の斜視断面図である。
【図３】同油量調整装置の分解斜視断面図である。
【図４】同油量調整装置の閉弁状態の上下方向断面図である。
【図５】同油量調整装置の開弁状態の上下方向断面図である。
【図６】図４の枠ＶＩ内の拡大図である。
【図７】図４の枠ＶＩＩ内の拡大図である。
【図８】第二実施形態の油量調整装置の閉弁状態の上下方向断面図である。
【図９】同油量調整装置の開弁状態の上下方向断面図である。
【図１０】（ａ）は、その他の実施形態（その１）の油量調整装置の異物流入抑制部付近の上下方向断面図である。（ｂ）は、その他の実施形態（その２）の油量調整装置の異物流入抑制部付近の上下方向断面図である。（ｃ）は、その他の実施形態（その３）の油量調整装置の異物流入抑制部付近の上下方向断面図である。（ｄ）は、その他の実施形態（その４）の油量調整装置の異物流入抑制部付近の上下方向断面図である。
【図１１】その他の実施形態（その５）の油量調整装置の開弁状態の上下方向断面図である。
【発明を実施するための形態】
【００３３】
以下、本発明の油量調整装置の実施の形態について説明する。
【００３４】
＜第一実施形態＞
［油量調整装置の配置］
まず、本実施形態の油量調整装置の配置について説明する。図１に、本実施形態の油量調整装置の配置図を示す。図１に示すように、エンジン９は、シリンダブロック（図略）と、複数のピストン９１と、複数のコンロッド９２と、クランクシャフト９３と、複数のピストンクーリングジェット９４と、複数のメイン軸受８４と、複数のクランク軸受８５と、を備えている。メイン軸受８４、クランク軸受８５は、各々、本発明の「軸受」の概念に含まれる。
【００３５】
クランクシャフト９３は、複数のメインジャーナル９３０と、複数のクランクピン９３１と、複数のクランクアーム９３２と、を備えている。複数のメインジャーナル９３０に対して、複数のクランクピン９３１は、複数のクランクアーム９３２を介して、偏心して接続されている。
【００３６】
メイン軸受８４は、メインジャーナル９３０に回転可能に環装されている。メイン軸受８４の内周面とメインジャーナル９３０の外周面との間には、メイン摺動部Ｓ１が設定されている。メイン摺動部Ｓ１は、本発明の「摺動部」の概念に含まれる。メイン軸受８４は、シリンダブロックの支持部９００と、キャップ９０１と、の間に取り付けられている。すなわち、複数のメイン軸受８４は、シリンダブロックに対して、クランクシャフト９３を、回転可能に支持している。
【００３７】
クランク軸受８５は、クランクピン９３１に回転可能に環装されている。クランク軸受８５の内周面とクランクピン９３１の外周面との間には、ピン摺動部Ｓ２が設定されている。ピン摺動部Ｓ２は、本発明の「摺動部」の概念に含まれる。
【００３８】
コンロッド９２は、クランク軸受８５を介して、クランクピン９３１に回転可能に環装されている。ピストン９１は、コンロッド９２に取り付けられている。ピストンクーリングジェット９４は、ピストン９１の裏面に、オイルＯを噴射可能である。
【００３９】
オイル経路８は、吐出通路８０と、クランクシャフト側通路８１と、カムシャフト側通路（図略）と、を備えている。吐出通路８０には、オイルパン８００と、オイルポンプ８０１と、リリーフバルブ８０２と、オイルフィルタ８０３と、が配置されている。オイルＯは、オイルパン８００に貯留されている。
【００４０】
オイルポンプ８０１から吐出されるオイルＯの流量は、リリーフバルブ８０２により、統合的に調整されている。すなわち、リリーフバルブ８０２の開弁圧を低く設定すると、リリーフバルブ８０２が開きやすくなる。このため、オイルポンプ８０１からオイルフィルタ８０３側に流れるオイルＯの流量を小さくすることができる。一方、リリーフバルブ８０２の開弁圧を高く設定すると、リリーフバルブ８０２が開きにくくなる。このため、オイルポンプ８０１からオイルフィルタ８０３側に流れるオイルＯの流量を大きくすることができる。
【００４１】
クランクシャフト側通路８１は、メインオイルホール８１０と、複数のクランクシャフト用枝通路８１１と、複数のメイン軸受内部通路８１２と、複数のクランクシャフト内部通路８１３と、サブオイルホール８１９と、を備えている。メインオイルホール８１０は、本発明の「クランクシャフト用幹通路」の概念に含まれる。
【００４２】
メインオイルホール８１０と後述するサブオイルホール８１９とは、オイルフィルタ８０３の下流側に分岐接続されている。クランクシャフト用枝通路８１１は、支持部９００の内部に形成されている。クランクシャフト用枝通路８１１は、メインオイルホール８１０に分岐接続されている。メイン軸受内部通路８１２は、メイン軸受８４の内部に形成されている。メイン軸受内部通路８１２は、クランクシャフト用枝通路８１１に接続されている。メイン軸受内部通路８１２は、メイン摺動部Ｓ１に接続されている。
【００４３】
複数のクランクシャフト内部通路８１３は、クランクシャフト９３の内部に形成されている。クランクシャフト内部通路８１３は、メイン摺動部Ｓ１とピン摺動部Ｓ２とを連結している。
【００４４】
ピストンクーリングジェット９４は、サブオイルホール８１９に分岐接続されている。このように、オイル経路８のオイルフィルタ８０３の下流側には、メイン摺動部Ｓ１およびピン摺動部Ｓ２にオイルＯを供給するメインオイルホール８１０と、ピストンクーリングジェット９４にオイルＯを供給するサブオイルホール８１９と、が並列に接続されている。
【００４５】
本実施形態の油量調整装置１は、メインオイルホール８１０に配置されている。言い換えると、本実施形態の油量調整装置１は、複数のクランクシャフト用枝通路８１１の上流側に配置されている。
【００４６】
［油量調整装置の構成］
次に、本実施形態の油量調整装置の構成について説明する。以下の図において、上側は、本発明の「表側」に対応している。また、下側は、本発明の「裏側」に対応している。また、上下方向は、本発明の「ハウジングの軸方向」に対応している。
【００４７】
図２に、本実施形態の油量調整装置の斜視断面図を示す。図３に、同油量調整装置の分解斜視断面図を示す。図４に、同油量調整装置の閉弁状態の上下方向断面図を示す。図５に、同油量調整装置の開弁状態の上下方向断面図を示す。図６に、図４の枠ＶＩ内の拡大図を示す。図７に、図４の枠ＶＩＩ内の拡大図を示す。図２〜図７に示すように、油量調整装置１は、ハウジング２と、プラグ３と、バルブ４と、コイルスプリング７０と、を備えている。
【００４８】
（ハウジング２）
ハウジング２は、鋼製であって、エンジン９のチェーンカバー９９と一体的に形成されている。ハウジング２は、Ｔ字筒状を呈している。すなわち、ハウジング２は、幹管部２ａと、枝管部２ｂと、を備えている。
【００４９】
幹管部２ａには、幹孔２０ａが穿設されている。幹孔２０ａは、上下方向に延在している。幹孔２０ａは、流入通路２００と、段差部２０１、２０２と、導入室２２と、圧力室２３と、を備えている。流入通路２００は、幹孔２０ａの上端開口付近に配置されている。
【００５０】
段差部２０１は、幹孔２０ａの上下方向中間部分の内周面に配置されている。段差部２０１を境に、幹孔２０ａの内径は、上側から下側に向かって拡径している。段差部２０１は、後述するバルブ４の上死点（閉弁位置）を決定している。すなわち、図４に示す閉弁状態において、段差部２０１は、バルブ４に上側から当接している。段差部２０２は、幹孔２０ａの下端開口付近に配置されている。段差部２０２を境に、幹孔２０ａの内径は、上側から下側に向かって拡径している。
【００５１】
導入室２２および圧力室２３は、幹孔２０ａの内部に区画されている。導入室２２と圧力室２３とは、後述するバルブ４により、仕切られている。すなわち、導入室２２は、バルブ４の上側に配置されている。一方、圧力室２３は、バルブ４の下側に配置されている。バルブ４の動きに応じて、導入室２２および圧力室２３の体積は、変化する。
【００５２】
枝管部２ｂには、枝孔２０ｂが穿設されている。枝孔２０ｂは、左右方向に延在している。枝孔２０ｂの左端は、幹孔２０ａの上下方向中間部分（段差部２０１の下側部分）に、接続されている。枝孔２０ｂは、第一流出通路２１０を備えている。
【００５３】
メインオイルホール８１０は、流入通路２００、導入室２２、第一流出通路２１０を経由している。図１に示すように、流入通路２００の上流側（図４における上側）には、オイルフィルタ８０３が接続されている。一方、第一流出通路２１０の下流側（図４における右側）には、複数のクランクシャフト用枝通路８１１、つまり複数のメイン摺動部Ｓ１および複数のピン摺動部Ｓ２が、分岐接続されている。
【００５４】
（バルブ４）
バルブ４は、鋼製であって、上側に開口するカップ状を呈している。バルブ４は、内部通路４００と、環状溝４０８と、切替通路４０９と、を備えている。内部通路４００は、バルブ４を上下方向に貫通している。内部通路４００は、幹通路４０１と、複数のオリフィス（絞り部）Ａと、を備えている。幹通路４０１の水平方向（幹孔２０ａの径方向）断面は、真円状を呈している。図６に示すように、複数のオリフィスＡは、幹通路４０１の下側（下流側）に、分岐接続されている。複数のオリフィスＡは、各々、バルブ４の底壁に穿設されている。オリフィスＡの水平方向断面は、真円状を呈している。内部通路４００の通路断面積（水平方向の断面積）は、オリフィスＡにおいて、局所的に縮小されている。切替通路４０９は、バルブ４の側壁に穿設されている。切替通路４０９の垂直方向（幹孔２０ａの軸方向）断面は、真円状を呈している。切替通路４０９の通路断面積（垂直方向の断面積）は、第一流出通路２１０の通路断面積（垂直方向の断面積）よりも、小さく設定されている。環状溝４０８は、バルブ４の外周面に、全周的に凹設されている。環状溝４０８の溝底面には、切替通路４０９の径方向外端側の開口が形成されている。
【００５５】
（プラグ３、コイルスプリング７０）
プラグ３は、鋼製であって、取付部３０と、円筒部３１と、隔壁３２と、を備えている。取付部３０は、円環状を呈している。取付部３０は、幹孔２０ａの段差部２０２に取り付けられている。円筒部３１は、取付部３０の上面から、上側に向かって突設されている。
【００５６】
隔壁３２は、円筒部３１の上端開口に配置されている。隔壁３２は、円板状を呈している。隔壁３２は、リーク隙間Ｂと、支持リブ３２１と、を備えている。リーク隙間Ｂは、本発明の「第二流出通路」の概念に含まれる。
【００５７】
リーク隙間Ｂは、隔壁３２の径方向中心に配置されている。リーク隙間Ｂは、隔壁３２を上下方向に貫通している。リーク隙間Ｂの水平方向断面は、真円状を呈している。図６、図７に示すように、オリフィスＡの最大開口幅Ａ１は、リーク隙間Ｂの最小開口幅Ｂ１よりも、小さい。すなわち、オリフィスＡの水平方向の幅の最大値（つまり直径）は、リーク隙間Ｂの水平方向の幅の最小値（つまり直径）よりも、小さい。また、オリフィスＡの配置数は、リーク隙間Ｂの配置数よりも、多い。また、複数のオリフィスＡの総開口面積（全てのオリフィスＡの水平方向の通路断面積の総和）は、リーク隙間Ｂの総開口面積（リーク隙間Ｂの水平方向の通路断面積）よりも、大きい。
【００５８】
支持リブ３２１は、環状を呈している。支持リブ３２１は、隔壁３２の上面に突設されている。支持リブ３２１は、リーク隙間Ｂの径方向外側に配置されている。支持リブ３２１は、バルブ４の下死点（開弁位置）を決定している。すなわち、図５に示す開弁状態において、支持リブ３２１の上面は、バルブ４の下面に、下側から当接している。このため、複数のオリフィスＡと、圧力室２３と、リーク隙間Ｂと、の連通が確保されている。
【００５９】
コイルスプリング７０（図２においては、透過して示す。）は、鋼製であって、バルブ４の下面と、プラグ３の取付部３０の上面と、の間に介装されている。コイルスプリング７０は、バルブ４を、上側（開弁状態から閉弁状態に切り替える方向）に付勢している。
【００６０】
［油量調整装置の動き］
次に、本実施形態の油量調整装置の動きについて説明する。図４、図５に示すように、バルブ４の上面には、上側から、メインオイルホール８１０のオイルＯの圧力による荷重Ｆｕが加わる。一方、バルブ４の下面には、下側から、コイルスプリング７０の付勢力による荷重Ｆｄ１が加わる。並びに、バルブ４の下面には、下側から、圧力室２３の内圧（オイルＯの圧力）による荷重Ｆｄ２が加わる。
【００６１】
このように、バルブ４には、上側から荷重Ｆｕが、下側から荷重Ｆｄ１、Ｆｄ２が、加わる。これらの荷重の大小関係に応じて、バルブ４は、上下方向に往復動する。なお、バルブ４には、油量調整装置１の取付方向に応じて、バルブ４の自重や浮力などによる荷重も作用するが、ここでは、説明の便宜上、割愛する。
【００６２】
荷重Ｆｕ、Ｆｄ１、Ｆｄ２の大小関係に応じて、バルブ４は、上下方向に往復動する。つまり、油量調整装置１は、図４に示す閉弁状態と、図５に示す開弁状態と、に切り替わる。
【００６３】
荷重Ｆｄ２を決定しているのは、圧力室２３の内圧である。圧力室２３内の内圧は、圧力室２３に流入するオイルＯの流量Ｑ１と、圧力室２３から流出するオイルＯの流量Ｑ２と、の関係により変化する。
【００６４】
すなわち、圧力室２３には、複数のオリフィスＡを経由して、オイルＯが流入する。このため、オイルＯの密度をρ、導入室２２内（つまりメインオイルホール８１０内）のオイルＯの圧力をＰａ、圧力室２３内のオイルＯの圧力をＰｂ、流量係数をＫ１、複数のオリフィスＡの流路断面積（全てのオリフィスＡの水平方向の通路断面積の総和）をＳとすると、ベルヌーイの定理により、複数のオリフィスＡを通過するオイルＯの流量、つまり圧力室２３に流入するオイルＯの流量Ｑ１は、以下の式（１）から導出される。
【数１】
2015004303.tif 000003
【００６５】
式（１）から、圧力室２３に流入するオイルＯの流量Ｑ１は、オイルＯの密度ρの影響を受けることが判る。ここで、オイルＯの密度ρは、オイルＯの温度が変化しても、あまり変化しない。このため、冷間時から温間時に至るまで、オイルＯの密度ρは、あまり変化しない。したがって、冷間時から温間時に至るまで、圧力室２３に流入するオイルＯの流量Ｑ１は、あまり変化しない。
【００６６】
これに対して、圧力室２３からは、リーク隙間Ｂを経由して、オイルＯが流出する。また、図７に示すように、リーク隙間Ｂの通路方向長さ（上下方向長さ）Ｂ２は、リーク隙間Ｂの最小開口幅Ｂ１よりも、大きい。このため、流れは層流に近くなる。したがって、オイルＯの粘度をη、係数をＫ２、大気圧をＰｃとすると、ハーゲン・ポアズイユの法則により、リーク隙間Ｂを通過するオイルＯの流量、つまり圧力室２３から流出するオイルＯの流量Ｑ２は、以下の式（２）から導出される。
【数２】
2015004303.tif 000004
【００６７】
式（２）から、圧力室２３から流出するオイルＯの流量Ｑ２は、オイルＯの粘度ηの影響を受けることが判る。ここで、オイルＯの粘度ηは、オイルＯの温度が変化すると、大きく変化する。このため、冷間時から温間時に至る際に、オイルＯの粘度ηは、大きく変化する。したがって、冷間時から温間時に至る際に、圧力室２３から流出するオイルＯの流量Ｑ２は、大きく変化する。具体的には、オイルＯの温度が上昇すると粘度ηは低下する。このため、式（２）から、流量Ｑ２は増加する。
【００６８】
このように、オイルＯの温度の変化に対する流量Ｑ１の変化に対して、オイルＯの温度の変化に対する流量Ｑ２の変化は、大きい。このため、オイルＯの温度が高いほど、リーク隙間ＢからオイルＯが漏れやすくなる。したがって、オイルＯの温度が高いほど、圧力室２３内の内圧が小さくなる。よって、オイルＯの温度が高いほど、荷重Ｆｄ２は小さくなる。
【００６９】
オイルＯの温度が低い冷間時においては、荷重Ｆｄ２が大きい。このため、油量調整装置１を、図４に示す閉弁状態から、図５に示す開弁状態に、切り替える際、大きな荷重Ｆｕが必要になる。つまり、開弁圧が大きくなる。したがって、冷間時においては、図４に示すように、油量調整装置１は閉弁状態になりやすい。
【００７０】
閉弁状態においては、バルブ４は、段差部２０１に当接した位置（閉弁位置）で停止している。このため、導入室２２と第一流出通路２１０との間に、バルブ４が介在している。導入室２２と第一流出通路２１０とは、バルブ４の切替通路４０９、環状溝４０８を介して、連通している。
【００７１】
閉弁状態においては、図４に太線（実線）示す小流量経路Ｌ２を経由して、メインオイルホール８１０からメイン摺動部Ｓ１に、オイルＯが供給される。すなわち、小流量経路Ｌ２は、上流側から下流側に向かって、流入通路２００、導入室２２、内部通路４００（幹通路４０１）、切替通路４０９、環状溝４０８、第一流出通路２１０を備えている。メインオイルホール８１０のオイルＯは、当該小流量経路Ｌ２、複数のクランクシャフト用枝通路８１１、複数のメイン軸受内部通路８１２を介して、複数のメイン摺動部Ｓ１に供給される。また、複数のメイン摺動部Ｓ１（左右方向中央のメイン摺動部Ｓ１以外の複数のメイン摺動部Ｓ１）に供給されたオイルＯは、複数のクランクシャフト内部通路８１３を介して、複数のピン摺動部Ｓ２に供給される。
【００７２】
一方、オイルＯの温度が高い温間時においては、荷重Ｆｄ２が小さい。このため、油量調整装置１を、図４に示す閉弁状態から、図５に示す開弁状態に、切り替える際、小さな荷重Ｆｕで足りる。つまり、開弁圧が小さくなる。したがって、温間時においては、図５に示すように、油量調整装置１は開弁状態になりやすい。
【００７３】
開弁状態においては、バルブ４は、支持リブ３２１の上面に当接した位置（開弁位置）で停止している。このため、導入室２２と第一流出通路２１０との間に、バルブ４が介在していない。
【００７４】
開弁状態においては、図５に太線（実線）示す大流量経路Ｌ１を経由して、メインオイルホール８１０からメイン摺動部Ｓ１に、オイルＯが供給される。すなわち、大流量経路Ｌ１は、上流側から下流側に向かって、流入通路２００、導入室２２、第一流出通路２１０を備えている。メインオイルホール８１０のオイルＯは、当該大流量経路Ｌ１、複数のクランクシャフト用枝通路８１１、複数のメイン軸受内部通路８１２を介して、複数のメイン摺動部Ｓ１に供給される。また、複数のメイン摺動部Ｓ１（左右方向中央のメイン摺動部Ｓ１以外の複数のメイン摺動部Ｓ１）に供給されたオイルＯは、複数のクランクシャフト内部通路８１３を介して、複数のピン摺動部Ｓ２に供給される。
【００７５】
ここで、図４に示す小流量経路Ｌ２と、図５に示す大流量経路Ｌ１と、を比較すると、小流量経路Ｌ２の方が、大流量経路Ｌ１よりも、切替通路４０９が介在している分だけ、経路断面積（経路全長における経路断面積の最小値）が小さい。このため、小流量経路Ｌ２の方が、大流量経路Ｌ１よりも、オイルＯの流量が小さい。したがって、図４に示す閉弁状態の方が、図５に示す開弁状態よりも、メイン摺動部Ｓ１に供給されるオイルＯの流量が小さくなる。つまり、冷間時の方が、温間時よりも、メイン摺動部Ｓ１に供給されるオイルＯの流量が小さくなる。同様に、冷間時の方が、温間時よりも、ピン摺動部Ｓ２に供給されるオイルＯの流量が小さくなる。
【００７６】
なお、図４に示す閉弁状態においても、図５に示す開弁状態においても、常時、油量調整装置１には、太線（点線）で示すリーク経路Ｌ３が確保されている。すなわち、リーク経路Ｌ３は、上流側から下流側に向かって、流入通路２００、導入室２２、内部通路４００（幹通路４０１、オリフィスＡ）、圧力室２３、リーク隙間Ｂを備えている。メインオイルホール８１０のオイルＯは、当該リーク経路Ｌ３を介して、常時、ハウジング２の外部に排出されている。
【００７７】
また、オリフィスＡの直径は、リーク隙間Ｂの直径よりも、小さい。このため、図４〜図７に示すように、オリフィスＡを通過可能な小さな異物Ｐ１は、リーク隙間Ｂを通過可能である。また、リーク隙間Ｂを通過不可能な大きな異物Ｐ２は、オリフィスＡを通過不可能である。したがって、図４に示す閉弁状態においても、図５に示す開弁状態においても、リーク隙間Ｂに異物Ｐ１、Ｐ２が詰まりにくい。
【００７８】
［作用効果］
次に、本実施形態の油量調整装置の作用効果について説明する。図１に示すように、本実施形態の油量調整装置１は、メインオイルホール８１０に配置されている。図４に示すように、油量調整装置１は、冷間時においては、小流量経路Ｌ２を経由して、オイルＯを、複数のメイン摺動部Ｓ１、複数のピン摺動部Ｓ２に、供給することができる。すなわち、冷間時においては、複数のメイン摺動部Ｓ１、複数のピン摺動部Ｓ２に供給されるオイルＯの流量を小さくすることができる。このため、複数のメイン摺動部Ｓ１、複数のピン摺動部Ｓ２の冷却を抑制することができる。したがって、摺動部の摩擦熱を利用して、複数のメイン摺動部Ｓ１、複数のピン摺動部Ｓ２に介在するオイルＯの温度を上げることができる。すなわち、当該オイルＯの粘度を下げることができる。よって、複数のメイン摺動部Ｓ１、複数のピン摺動部Ｓ２の摩擦抵抗を小さくすることができる。
【００７９】
これに対して、油量調整装置１は、冷間時よりもオイルＯの温度が高い温間時においては、図５に示すように、大流量経路Ｌ１を経由して、オイルＯを、複数のメイン摺動部Ｓ１、複数のピン摺動部Ｓ２に、供給することができる。すなわち、温間時においては、複数のメイン摺動部Ｓ１、複数のピン摺動部Ｓ２に供給されるオイルＯの流量を大きくすることができる。このため、複数のメイン摺動部Ｓ１、複数のピン摺動部Ｓ２に、充分な量のオイルＯを供給することができる。したがって、これらの摺動部を冷却することができる。また、これらの摺動部の摩擦抵抗を小さくすることができる。
【００８０】
このように、本実施形態の油量調整装置１によると、複数のメイン摺動部Ｓ１、複数のピン摺動部Ｓ２に供給されるオイルＯの流量を、局所的に、かつ総括的に、温度に応じて調整することができる。
【００８１】
また、冷間時（図４に示す閉弁状態）において、油量調整装置１がない場合と比較して、複数のメイン摺動部Ｓ１、複数のピン摺動部Ｓ２に供給されるオイルＯの流量を、小さくすることができる。
【００８２】
また、冷間時（図４に示す閉弁状態）において、オイル経路８に接続される他の摺動部と比較して、複数のメイン摺動部Ｓ１、複数のピン摺動部Ｓ２に供給されるオイルＯの流量を、小さくすることができる。
【００８３】
また、本実施形態の油量調整装置１によると、圧力室２３の内圧が、オイルＯの温度に応じて変化する。このため、当該内圧の変化を利用して、図５に示す開弁位置（開弁状態におけるバルブの位置）と図４に示す閉弁位置（閉弁状態におけるバルブの位置）との間で、バルブ４を上下方向に往復動させることができる。
【００８４】
また、本実施形態の油量調整装置１によると、バルブ４に切替通路４０９が配置されている。このため、バルブ４の往復動に連動させて、切替通路４０９を、導入室２２と第一流出通路２１０との間に、差し込むことができる。並びに、切替通路４０９を、導入室２２と第一流出通路２１０との間から、抜き出すことができる。
【００８５】
また、リーク隙間Ｂは、本来、圧力室２３の内圧を制御するために設けられている。言い換えると、リーク隙間Ｂは、バルブ４の動作を制御するために設けられている。このため、リーク隙間Ｂの通路断面積の許容範囲は、内圧調整の観点から、ある程度制限されてしまう。したがって、仮に、リーク隙間Ｂを利用して図４に示す小流量経路Ｌ２を設定すると、小流量経路Ｌ２を流れるオイルＯの流量設定に対する自由度が低くなってしまう。
【００８６】
この点、本実施形態の油量調整装置１によると、リーク隙間Ｂを利用しないで小流量経路Ｌ２を設定している。言い換えると、切替通路４０９を利用して小流量経路Ｌ２を設定している。このため、小流量経路Ｌ２を流れるオイルＯの流量設定に対する自由度が高い。
【００８７】
また、本実施形態の油量調整装置１によると、図４、図５に示すように、オイルＯの温度に応じた流量調整を、オリフィスＡ、リーク隙間Ｂ、コイルスプリング７０を用いて実行することができる。このため、油量調整装置１の構造が簡単である。また、部品点数が少ない。
【００８８】
また、本実施形態の油量調整装置１によると、図５に示すように、隔壁３２の上面に支持リブ３２１が配置されている。このため、開弁状態において、確実に、オリフィスＡと、リーク隙間Ｂと、を連通させることができる。すなわち、開弁状態において、圧力室２３に、内圧調整用のオイルＯを供給することができる。
【００８９】
また、本実施形態の油量調整装置１によると、図５に示すように、開弁状態において、バルブ４の下面が、支持リブ３２１の上面に着座する。このため、コイルスプリング７０の最大圧縮量を規制することができる。したがって、コイルスプリング７０がへたりにくい。
【００９０】
また、異物Ｐ１、Ｐ２がリーク隙間Ｂに詰まると、裏側（圧力室２３側）からバルブ４に加わる荷重Ｆｄ２が大きくなる。このため、油量調整装置１が、図４に示す閉弁状態から、図５に示す開弁状態に、切り替わりにくくなる。
【００９１】
この点、本実施形態の油量調整装置１によると、図６、図７に示すようにオリフィスＡの最大開口幅Ａ１は、リーク隙間Ｂの最小開口幅Ｂ１よりも、小さい。このため、図７に示すように、オイルＯ中の異物Ｐ１、Ｐ２のうち、オリフィスＡを通過可能な異物Ｐ１は、リーク隙間Ｂを通過することができる。また、図６に示すように、リーク隙間Ｂを通過不可能な異物Ｐ２は、オリフィスＡを通過することができない。したがって、異物Ｐ１、Ｐ２がリーク隙間Ｂに詰まり、圧力室２３の内圧が高くなるのを抑制することができる。よって、本実施形態の油量調整装置１が、図４に示す閉弁状態から、図５に示す開弁状態に、切り替わりやすい。
【００９２】
また、オリフィスＡつまり内部通路４００は、バルブ４に配置されている。オリフィスＡに異物Ｐ２が詰まると、オイルＯがオリフィスＡを、表側から裏側に通過しにくくなる。つまり、オリフィスＡの通過抵抗が大きくなる。このため、表側からバルブ４に加わる荷重Ｆｕが大きくなる。したがって、バルブ４は裏側に移動し、油量調整装置１は図５に示す開弁状態になる。このように、本実施形態の油量調整装置１によると、オリフィスＡに異物Ｐ２が詰まった場合であっても、開弁状態を確保することができる。このため、油量調整装置１に異物Ｐ２が詰まった場合であっても、少なくとも大流量経路Ｌ１を介して、オイルＯを複数のメイン摺動部Ｓ１、複数のピン摺動部Ｓ２に供給することができる。
【００９３】
＜第二実施形態＞
本実施形態の油量調整装置と、第一実施形態の油量調整装置との相違点は、小流量経路がリーク隙間を含んで形成されている点である。すなわち、図４、図５に示すリーク経路Ｌ３が、小流量経路として利用されている点である。ここでは、相違点についてのみ説明する。図８に、本実施形態の油量調整装置の閉弁状態の上下方向断面図を示す。なお、図４と対応する部位については、同じ符号で示す。図９に、本実施形態の油量調整装置の開弁状態の上下方向断面図を示す。なお、図５と対応する部位については、同じ符号で示す。
【００９４】
図８、図９に示すように、バルブ４には、切替通路が穿設されていない。このため、図８に示すように、閉弁状態においては、導入室２２と第一流出通路２１０との連通が、完全に遮断されている。また、幹孔２０ａの下端開口は、第一流出通路２１０と同様に、図１に示す複数のクランクシャフト用枝通路８１１の上流側に接続されている。
【００９５】
閉弁状態においては、図８に太線（実線）示す小流量経路Ｌ２を経由して、メインオイルホール８１０からメイン摺動部に、オイルが供給される。すなわち、小流量経路Ｌ２は、上流側から下流側に向かって、流入通路２００、導入室２２、内部通路４００（幹通路４０１、オリフィスＡ）、圧力室２３、リーク隙間Ｂを備えている。メインオイルホール８１０のオイルは、当該小流量経路Ｌ２、図１に示す複数のクランクシャフト用枝通路８１１、複数のメイン軸受内部通路８１２を介して、複数のメイン摺動部Ｓ１、複数のピン摺動部Ｓ２に供給される。
【００９６】
これに対して、開弁状態においては、図９に太線（実線）示す大流量経路Ｌ１および小流量経路Ｌ２を経由して、メインオイルホール８１０からメイン摺動部に、オイルが供給される。すなわち、大流量経路Ｌ１は、上流側から下流側に向かって、流入通路２００、導入室２２、第一流出通路２１０を備えている。メインオイルホール８１０のオイルは、当該大流量経路Ｌ１、図１に示す複数のクランクシャフト用枝通路８１１、複数のメイン軸受内部通路８１２を介して、複数のメイン摺動部Ｓ１、複数のピン摺動部Ｓ２に供給される。並びに、メインオイルホール８１０のオイルは、小流量経路Ｌ２、図１に示す複数のクランクシャフト用枝通路８１１、複数のメイン軸受内部通路８１２を介して、複数のメイン摺動部Ｓ１、複数のピン摺動部Ｓ２に供給される。
【００９７】
図８に示す閉弁状態の方が、図９に示す開弁状態よりも、大流量経路Ｌ１が遮断されている分だけ、図１に示すメイン摺動部Ｓ１に供給されるオイルＯの流量が小さくなる。つまり、冷間時の方が、温間時よりも、メイン摺動部Ｓ１に供給されるオイルＯの流量が小さくなる。同様に、冷間時の方が、温間時よりも、ピン摺動部Ｓ２に供給されるオイルＯの流量が小さくなる。
【００９８】
本実施形態の油量調整装置と、第一実施形態の油量調整装置とは、構成が共通する部分に関しては、同様の作用効果を有する。本実施形態の油量調整装置１によると、リーク隙間Ｂを利用して小流量経路Ｌ２を設定している。このため、リーク隙間Ｂを利用しないで小流量経路Ｌ２を設定する場合と比較して、油量調整装置１の構造が簡単になる。
【００９９】
＜その他＞
以上、本発明の油量調整装置の実施の形態について説明した。しかしながら、実施の形態は上記形態に特に限定されるものではない。当業者が行いうる種々の変形的形態、改良的形態で実施することも可能である。
【０１００】
図１０（ａ）に、その他の実施形態（その１）の油量調整装置のオリフィス、リーク隙間の上側から見た模式図を示す。図１０（ｂ）に、その他の実施形態（その２）の油量調整装置のオリフィス、リーク隙間の上側から見た模式図を示す。図１０（ｃ）に、その他の実施形態（その３）の油量調整装置のオリフィス、リーク隙間の上側から見た模式図を示す。図１０（ｄ）に、その他の実施形態（その４）の油量調整装置のオリフィス、リーク隙間の上側から見た模式図を示す。なお、これらの図において、図６、図７と対応する部位については、同じ符号で示す。また、これらの図においては、説明の便宜上、オリフィスＡとリーク隙間Ｂとを、図形重心が一致するように、重ねて表示する。
【０１０１】
図１０（ａ）に示すように、オリフィスＡ、リーク隙間Ｂの水平方向の断面形状は、真円状であってもよい。図１０（ｂ）に示すように、オリフィスＡ、リーク隙間Ｂの水平方向の断面形状は、正方形状であってもよい。図１０（ｃ）に示すように、オリフィスＡ、リーク隙間Ｂの水平方向の断面形状は、楕円状であってもよい。図１０（ｄ）に示すように、オリフィスＡ、リーク隙間Ｂの水平方向の断面形状は、長円状であってもよい。
【０１０２】
このように、オリフィスＡ、リーク隙間Ｂの通路方向に直交する方向の断面形状は、特に限定しない。例えば、環状（真円環状、楕円環状、多角形環状など）、スリット状、多角形状（三角形、四角形、五角形、六角形など）などであってもよい。
【０１０３】
また、リーク隙間Ｂは、複数配置してもよい。この場合、本発明の「開口幅」とは、単一のリーク隙間Ｂの開口幅をいう。また、本発明の「総開口面積」とは、全てのリーク隙間Ｂの開口面積の総和をいう。
【０１０４】
また、オリフィスＡ、リーク隙間Ｂの開口形状が真円状、楕円状、多角形状の場合、本発明の「開口幅」とは、オリフィスＡ、リーク隙間Ｂの図形重心を通る直線長をいう。例えば、オリフィスＡ、リーク隙間Ｂが真円状の場合、本発明の「開口幅」とは、直径長をいう。
【０１０５】
図１１に、その他の実施形態（その５）の油量調整装置の開弁状態の上下方向断面図を示す。なお、図５と対応する部位については、同じ符号で示す。図１１に示すように、幹管部２ａの幹孔２０ａに、無端環状の支持リブ７３を配置してもよい。支持リブ７３は、圧力室２３に配置されている。支持リブ７３は、径方向内側に張り出している。上側または下側から見て、支持リブ７３は、バルブ４の外周縁に、重複するように配置されている。並びに、上側または下側から見て、支持リブ７３は、コイルスプリング７０に、重複しないように配置されている。支持リブ７３は、バルブ４の下死点（開弁位置）を決定している。すなわち、開弁状態において、支持リブ７３は、バルブ４を下側から支持している。本実施形態の油量調整装置１によると、隔壁３２に支持リブ３２１を配置しなくて済む。また、無端環状の支持リブ７３の代わりに、単一または複数の、径方向内側に突出する突起を配置してもよい。複数の突起を配置する場合、幹孔２０ａの内周面に沿って、等角度ごとに突起を配置してもよい。
【０１０６】
図４に示すように、上記実施形態においては、油量調整装置１以外の部材（チェーンカバー９９）とハウジング２とを一体的に形成した。しかしながら、他の部材からハウジング２を独立して配置してもよい。すなわち、メインオイルホール８１０の径方向内側に、筒状のハウジング２を挿入、固定してもよい。
【０１０７】
図４、図５に示す導入室２２、圧力室２３、幹通路４０１、第一流出通路２１０の、通路方向に直交する方向の断面形状は、特に限定しない。例えば、真円状、楕円状、多角形状などであってもよい。
【０１０８】
上記実施形態においては、図５、図１１に示すように、バルブ４の下死点を決定する部材（支持リブ３２１、７３）を配置した。しかしながら、バルブ４の下死点を決定する部材を配置しなくてもよい。すなわち、コイルスプリング７０および圧力室２３の内圧により、バルブ４の下死点を規制してもよい。
【符号の説明】
【０１０９】
１：油量調整装置。
２：ハウジング、２ａ：幹管部、２ｂ：枝管部、２０ａ：幹孔、２０ｂ：枝孔、２００：流入通路、２０１：段差部、２０２：段差部、２１０：第一流出通路、２２：導入室、２３：圧力室。
３：プラグ、３０：取付部、３１：円筒部、３２：隔壁、３２１：支持リブ。
４：バルブ、４００：内部通路、４０１：幹通路、４０８：環状溝、４０９：切替通路。
７０：コイルスプリング、７３：支持リブ。
８：オイル経路、８０：吐出通路、８００：オイルパン、８０１：オイルポンプ、８０２：リリーフバルブ、８０３：オイルフィルタ、８１：クランクシャフト側通路、８１０：メインオイルホール（クランクシャフト用幹通路）、８１１：クランクシャフト用枝通路、８１２：メイン軸受内部通路、８１３：クランクシャフト内部通路、８１９：サブオイルホール、８４：メイン軸受（軸受）、８５：クランク軸受（軸受）。
９：エンジン、９００：支持部、９０１：キャップ、９１：ピストン、９２：コンロッド、９３：クランクシャフト、９３０：メインジャーナル、９３１：クランクピン、９３２：クランクアーム、９４：ピストンクーリングジェット、９９：チェーンカバー。
Ａ：オリフィス、Ａ１：最大開口幅、Ｂ：リーク隙間（第二流出通路）、Ｂ１：最小開口幅、Ｂ２：通路方向長さ、Ｌ１：大流量経路、Ｌ２：小流量経路、Ｌ３：リーク経路、Ｏ：オイル、Ｐ１：異物、Ｐ２：異物、Ｓ１：メイン摺動部（摺動部）、Ｓ２：ピン摺動部（摺動部）。
【図１】
2015004303.tif 000005
【図２】
2015004303.tif 000006
【図３】
2015004303.tif 000007
【図４】
2015004303.tif 000008
【図５】
2015004303.tif 000009
【図６】
2015004303.tif 000010
【図７】
2015004303.tif 000011
【図８】
2015004303.tif 000012
【図９】
2015004303.tif 000013
【図１０】
2015004303.tif 000014
【図１１】
2015004303.tif 000015